(57)【要約】      （修正有）【課題】捕獲する小動物の種類に合わせて落下式の扉をセットする高さを調節できるようにして、小さく俊敏な小動物に逃げられてしまうことを防止できる箱形罠装置を提供する。【解決手段】トリガー3は捕獲獣を感知する餌箱4と、その感知作用により扉2の動作を制御する係合挿入部302aを備える進退部材30を有している。扉2には係合挿入部302aと協働して扉2の仕掛け高さを調節する複数の係合受部が設けられ、係合受部は係合挿入部302aが挿入される係合孔200を備えており、進退部材30は常時扉2の方向へ付勢されており、トリガー3が作動して扉2が最下部まで落下したときには係合挿入部302aは落下した扉2の上側に突出して扉2が上がるの防止するようになっている。【選択図】図４
2012039928.tif 000002
【特許請求の範囲】
【請求項１】
落下式扉を有する箱形罠装置であって、
捕獲室(16)を有する罠本体(1)と、前記捕獲室(16)に通じる入り口(15)を閉塞する落下式の扉(2)と、当該扉(2)を作動させるトリガー手段(3)と、
を備えており、
前記トリガー手段(3)は、
前記捕獲室(16)内に居る捕獲獣を感知する感知要素(4)と、
前記感知要素(4)の感知作用により前記扉(2)の動作を制御する、少なくとも二つの係合挿入部(302a,302b)を備える作動制御要素(30)と、
を有しており、
前記扉(2)は、板材で作られるか、少なくとも板材部分を有し、板面には、前記係合挿入部(302a,302b)と協働して扉(2)の仕掛け高さを調節する高さ調節手段が形成されており、
前記高さ調節手段は、板面の上下方向に形成されている複数の係合受部(21,22,23,24)で構成され、各係合受部(21,22,23,24)は、前記係合挿入部(302a,302b)が挿入される少なくとも二つの係合孔(200)を備えており、
前記作動制御要素(30)は、常時扉(2)の方向へ付勢されており、トリガー手段(3)が作動して前記扉(2)が最下部まで落下したときには、前記作動制御要素の係合挿入部(302a,302b)は、落下した扉(2)の上側に突出して扉(2)が上がるの防止するように構成されている、
箱形罠装置。
【請求項２】
感知要素(4)は、捕獲獣が触れることによって捕獲室(16)内に居ることを感知する、
請求項１記載の箱形罠装置。
【請求項３】
トリガー手段(3)の各係合挿入部(302a,302b)は共通の部材(302)に設けられており、該部材(302)は各係合挿入部(302a,302b)の高さが変動する方向へ振動又は揺動ができるようにしてある、
請求項１又は２記載の箱形罠装置。
【請求項４】
落下式の扉(2)をセットする際にトリガー手段(3)の各係合挿入部(302a,302b)と各係合受部(21,22,23,24)の係合孔(200)との係合深さを調節する係合深さ調節手段(32)を備えている、
請求項１、２又は３記載の箱形罠装置。
【請求項５】
落下式の扉(2)がある高さまで下降したときに、その高さ以上への上昇を止める上昇止め手段(25,25a,25b)を備えており、該上昇止め手段(25,25a,25b)が高さ方向に所要数設けられている、
請求項１、２、３又は４記載の箱形罠装置。
【請求項６】
罠本体(1)の餌又は餌容器(4)が配される場所の近傍に、取付軸(141)を中心として回動することにより開閉ができる蓋部材(14)が設けられている、
請求項１、２、３、４又は５記載の箱形罠装置。
【発明の詳細な説明】
【技術分野】
【０００１】
本発明は、箱形罠装置に関するものである。更に詳しくは、落とし扉をセットする高さを、捕獲する小動物の種類に合わせて調節できるようにして、例えばより小さく俊敏な小動物に逃げられてしまうことを防止できる箱形罠装置に関する。
【背景技術】
【０００２】
イノシシ等の大型獣ではなく、アライグマ、キツネ、イタチ或いはテン等の小動物用の捕獲装置としては、例えば箱体の開口部に落とし扉を設け、侵入した小動物を赤外線等を利用したセンサで検出したり、小動物が餌や餌容器（餌箱）を動かすときのその動きを機械的に検出したりして、落とし扉を閉じることにより、小動物を捕獲する構造のものが使用されている。このような小動物用捕獲装置としては、例えば特許文献１の動物捕獲器がある。
【０００３】
特許文献１に開示された動物捕獲器は、筒体<1>の両端に出入口<2>を設け、筒体の内部を素通しにして捕獲対象動物の通り道とし、筒体内に侵入した動物をセンサ<5>で検知し、その検知信号で電磁ロック手段<4>による扉<3>の開位置でのロックを解除し、各出入口<2>の扉<3>を同時に閉じて侵入した動物を閉じ込めるようにして、人間に害を及ぼす鼠などを効果的に捕獲できるというものである。
【先行技術文献】
【特許文献】
【０００４】
【特許文献１】特開２００３−１６９５８７
【発明の概要】
【発明が解決しようとする課題】
【０００５】
しかしながら、前記従来の動物捕獲器には、次のような課題があった。
すなわち、動物捕獲器は、扉をセットする高さを捕獲する小動物の種類に合わせて、例えば比較的大きい小動物用としては開口部を拡げるために扉をより高い位置にセットし、比較的小さい小動物用としては開口部を狭めるために扉をより低い位置にセットする等、扉をセットする高さを調節できるようにはなっていない。したがって、扉が落ちるまでの時間が一様であり、比較的大きく動きが鈍い小動物は捕獲できても、より小さく俊敏な小動物には逃げられてしまうおそれがあった。
【０００６】
また、ロックが外れて一旦落ち始めた扉は、自重で落ちているだけで、下降する方向へも上昇する方向へも自由に動くことができる。したがって、扉に何らかの外力が作用すれば落下が止まることもあるし、跳ね上がることもあり、例えば落下中の扉が小動物の尻尾に当たって止まり、続いて小動物があわてて暴れることで扉をそのまま跳ね上げて逃げてしまうおそれがあった。
【０００７】
（本発明の目的）
本発明は、落とし扉をセットする高さを捕獲する小動物の種類に合わせて調節できるようにして、例えばより小さく俊敏な小動物に逃げられてしまうことを防止できる箱形罠装置を提供することを目的とする。
【０００８】
また、本発明の他の目的は、前記目的に加えて、ロックが外れて一旦落ち始めた扉に上昇する方向に外力が作用しても、ある高さ以上は上昇しないようにして開口部の大きさができるだけ小さくなるようにし、小動物の逃げ出しを最小限に抑えることができるようにすることである。
【課題を解決するための手段】
【０００９】
（１）本発明は、
落下式扉を有する箱形罠装置であって、
捕獲室を有する罠本体と、 前記捕獲室に通じる入り口を閉塞する落下式の扉と、当該扉を作動させるトリガー手段と、
を備えており、
前記トリガー手段は、
前記捕獲室内に居る捕獲獣を感知する感知要素と、
前記感知要素の感知作用により前記扉の動作を制御する、少なくとも二つの係合挿入部を備える作動制御要素と、
を有しており、
前記扉は、板材で作られるか、少なくとも板材部分を有し、板面には、前記係合挿入部と協働して扉の仕掛け高さを調節する高さ調節手段が形成されており、
前記高さ調節手段は、板面の上下方向に形成されている複数の係合受部で構成され、各係合受部は、前記係合挿入部が挿入される少なくとも二つの係合孔を備えており、
前記作動制御要素は、常時扉の方向へ付勢されており、トリガー手段が作動して前記扉が最下部まで落下したときには、前記作動制御要素の係合挿入部は、落下した扉の上側に突出して扉が上がるの防止するように構成されている、
箱形罠装置である。
【００１０】
（２）本発明は、
感知要素は、捕獲獣が触れることによって捕獲室内に居ることを感知する、
前記（１）の箱形罠装置である。
【００１１】
（３）本発明は、
トリガー手段の各係合挿入部は共通の部材に設けられており、該部材は各係合挿入部の高さが変動する方向へ振動又は揺動ができるようにしてある、
前記（１）又は（２）の箱形罠装置である。
【００１２】
（４）本発明は、
落下式の扉をセットする際にトリガー手段の各係合挿入部と各係合受部の係合孔との係合深さを調節する係合深さ調節手段を備えている、
前記（１）、（２）又は（３）の箱形罠装置である。
【００１３】
（５）本発明は、
落下式の扉がある高さまで下降したときに、その高さ以上への上昇を止める上昇止め手段を備えており、該上昇止め手段が高さ方向に所要数設けられている、
前記（１）、（２）、（３）又は（４）の箱形罠装置である。
【００１４】
（６）本発明は、
罠本体の餌又は餌容器が配される場所の近傍に、取付軸を中心として回動することにより開閉ができる蓋部材が設けられている、
前記（１）、（２）、（３）、（４）又は（５）の箱形罠装置である。
【００１５】
本明細書及び特許請求の範囲にいう「感知要素」としては、例えば各種センサ等の電気的要素の他、小動物が接触することで動いたり壊れるようになっている各種機械的要素があげられる。
【００１６】
（作用）
本発明に係る箱形罠装置の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１７】
箱形罠装置(A1)を獣道等に仕掛ける。仕掛ける際には、まず落下式の扉(2)を上昇させ、トリガー手段(3)の各係合挿入部(302a,302b)を所要の組の係合受部(21,22,23,24)の各係合孔(200)に係合させてセットする。これにより、捕獲しようとする小動物に最も適した高さに落下式の扉(2)をセットすることができる。
感知要素(4)が罠本体(1)内に小動物が侵入したことを感知すると、トリガー手段(3)は各係合挿入部(302a,302b)と各係合孔(200)との係合を解除する。
【００１８】
これにより落下式の扉(2)は落下する。このとき、落下式の扉(2)は係合孔(200)の方向へ付勢されている各係合挿入部(302a,302b)と接触しないで落下することもあるが、場合によっては付勢力で戻った各係合挿入部(302a,302b)と接触しながら落下することもある。
落下式の扉(2)が最下部まで落ちると、トリガー手段(3)の係合挿入部(302a,302b)が落下式の扉(2)の上側で扉(2)を超えて突出し、落下式の扉(2)が上昇しないように止めるストッパーとなる。このように、入り口(15)を封鎖した落下式の扉(2)は開かないので、罠本体(1)内に入った小動物は捕獲される。
【００１９】
トリガー手段(3)の各係合挿入部(302a,302b)は共通の部材(32)に設けられており、該部材(32)は各係合挿入部(302a,302b)の高さが変動する方向へ振動又は揺動ができるようにしてあるものは、落下式の扉(2)が各係合挿入部(302a,302b)と接触しながら落下する際に、部材(32)が振動又は揺動することにより各係合挿入部(302a,302b)と各係合受部(21,22,23,24)の係合孔(200)とが合致しにくく、落下式の扉(2)を途中で止まることなく円滑に落下させることができる。
【００２０】
落下式の扉(2)をセットする際にトリガー手段(3)の各係合挿入部(302a,302b)と各係合受部(21,22,23,24)の係合孔(200)との係合深さを調節する係合深さ調節手段(32)を備えているものは、例えば係合深さをより浅くして感度を鋭くし、係合深さをより深くして感度を鈍くする等、作動感度の調節ができる。
【００２１】
落下式の扉(2)がある高さまで下降したときに、その高さ以上への上昇を止める上昇止め手段(25,25a,25b)を備えており、該上昇止め手段(25,25a,25b)が高さ方向に所要数設けられているものは、落下式の扉(2)が一旦上昇止め手段(25,25a,25b)がある高さまで下降すると、仮に落下式の扉(2)が小動物に触れて止まったとしても、それ以上の高さに上昇することはなく、後は閉じる方向に落ちるしかないので、小動物の逃げ出しを最小限に抑えて、より確実に捕獲することができる。
【００２２】
罠本体(1)の餌又は餌容器(4)が配される場所の近傍に、取付軸(141)を中心として回動することにより開閉ができる蓋部材(14)が設けられているものは、蓋部材(14)を開いた開口部から餌又は餌容器(4)が配される場所が近いので、餌の補充や交換がしやすい。また、罠本体(1)の内部の様子を確認する覗き口にもなり、狩猟者は捕獲した小動物の種類や数及び状態等の確認を行うことができる。
【発明の効果】
【００２３】
本発明の箱形罠装置は、仕掛ける際にトリガー手段の各係合挿入部を落下式の扉の所要の組の係合受部の各係合孔に係合させてセットすることにより、捕獲しようとする小動物に最も適した高さを選択して落とし扉をセットすることができ、例えばより小さく俊敏な小動物に逃げられてしまうことを防止できるので、捕獲対象の小動物をより確実に捕獲することができる。
【００２４】
また、上昇止め手段が高さ方向に所要数設けられているものは、落下式の扉が一旦上昇止め手段がある高さまで下降すると、仮に落下式の扉が小動物に触れて止まったとしても、それ以上の高さに上昇することはなく、後は閉じる方向に落ちるしかないので、小動物の逃げ出しを最小限に抑えることができる。
【図面の簡単な説明】
【００２５】
【図１】本発明に係る箱形罠装置の第１の実施の形態を示す前方から見た斜視図。
【図２】箱形罠装置の後方から見た斜視図。
【図３】上昇止め金具の作用を示す説明図。
【図４】箱形罠装置の仕掛け状態及び作動している状態を示す断面説明図。
【図５】箱形罠装置により小動物が捕獲された状態を示す断面説明図。
【図６】箱形罠装置の第２の実施の形態を仕掛けた状態を示す断面説明図。
【図７】箱形罠装置の第３の実施の形態を仕掛けた状態を示す断面説明図。
【発明を実施するための形態】
【００２６】
本発明を図面に示した実施の形態に基づき詳細に説明する。
図１乃至図５を参照する。
箱形罠装置Ａ１は、金属板で形成された罠本体１と、同じく金属板で形成された落下式の扉である落とし扉２と、落とし扉２をセット状態で支えると共に作動時に落下させるトリガー３（感知要素である餌容器４（図４参照）を含む）を備えている。
なお、以下の説明において、箱形罠装置Ａ１の落とし扉２が設けられている側を「前側」とし、後述する後蓋板１４が設けられている側を「後側」として、位置関係や方向等を説明する場合がある。
【００２７】
罠本体１は、長方形状の底板１０、側板１１、１２、天板１３及び後蓋板１４で構成されており、内部が捕獲室１６となっている。各板１０、１１、１２、１３、１４は、接続側の端縁部が折り曲げられ、ネジ又はビスで固定され、一方が後蓋板１４で封鎖された角筒状に形成されており、後蓋板１４と反対側には、捕獲対象獣である小動物の侵入口となる入り口１５が設けられている。
【００２８】
側板１１、１２の上部側には、ほぼ全長にわたり所要数の通気口１１０、１２０が設けられている。また、後蓋板１４は、上部にツマミ１４０を有し、側板１１、１２間に内嵌めされ、下部寄りが取付軸１４１で側板１１、１２に対し取り付けられている。後蓋板１４は、取付軸１４１を中心として上部側が後側へ開くように回動することができ（図４参照）、閉塞状態では上端部両側を蝶ネジ１４２で天板１３に固定するようにしてある。
【００２９】
罠本体１の後蓋板１４とは反対側の端部には、入り口１５の開放及び閉塞を行う前記落とし扉２が設けられている。落とし扉２は、上端と下端の縁部が前側へ曲げられて補強されている。落とし扉２は、入り口１５を構成している側板１１、１２の端縁部に沿って鉛直に固定されているガイド部材２０、２０ａの内側に設けられている嵌装部２９間に昇降自在に嵌装されている。ガイド部材２０、２０ａの上端部は、補強のために連結部材２８でつながれている。
【００３０】
落とし扉２の下側には、上下方向に等間隔で四組の係合受部２１、２２、２３、２４が設けられている。各係合受部２１、２２、２３、２４は高さ調節手段を構成し、それぞれ水平方向に一定間隔で設けられ表裏を貫通した係合孔２００で構成されている。また、落とし扉２の下端縁部には、係合孔２００の横方向の間隔と同じ間隔で二箇所に、係合凹部２０１が半円形に切り欠くようにして設けられている。
【００３１】
一方のガイド部材２０の嵌装部２９より後部側には、Ｌ板状の取付台具２０２が固定されている。取付台具２０２には、上昇止め手段である上昇止め具２５、２５ａ、２５ｂが上下方向に等間隔で取り付けられている。各上昇止め具２５、２５ａ、２５ｂは、図３に示すように互いに同じ構造を有しており、それぞれ回動金具２５０を有している。回動金具２５０は板状であり、基部側を取付台具２０２にネジ２５１で回動自在に止められている。回動金具２５０の先端部には、前側へ突出した止め部２５２が形成されており、止め部２５２の基部には錘となる錘ネジ２５３が固定されている。
【００３２】
各上昇止め具２５、２５ａ、２５ｂは、錘ネジ２５３の作用により、隣に落とし扉２がない状態では、止め部２５２の先端部が落とし扉２の位置より前に出た状態（又は重なる状態）で静止するようになっている（図３の上昇止め具２５、２５ａを参照）。なお、セット時等、落とし扉２が隣にある状態では、止め部２５２は先端部が落とし扉２に当接し、前記に比べてやや後退回動した状態で静止するようになっている（図３の上昇止め具２５ｂを参照）。
【００３３】
また、天板１３には、前記トリガー３が設けられている。トリガー３は、棒体で形成された作動制御要素である進退部材３０を有している。進退部材３０は、所要長さの直棒部３００を有し、直棒部３００の先部には、直棒部３００と所要角度（本実施の形態では２０°程度）で傾斜した傾斜部３０１を有している。傾斜部３０１の先端には、左右両側に係合挿入部３０２ａ、３０２ｂを有するコ字状の先端具３０２が固定されている。
【００３４】
進退部材３０は、天板１３の上面の前端寄りに固定されたガイド具３６と、後端寄りに固定されたガイド具３７にわたるように前後方向へ進退動自在に装入されている。図４乃至図７に示すようにガイド具３６は、滑車３６０を有し、そのやや上方には所要間隔をおいて止めピン３６１を有している。また、ガイド具３７は、滑車３７０を有している。
進退部材３０は、直棒部３００と傾斜部３０１との境界部近傍を前部のガイド具３６の止めピン３６１と滑車３６０の間に通すようにし、直棒部３００の後部側を後部のガイド具３７の滑車３７０の下を通すようにしてある。
【００３５】
この状態では、直棒部３００は天板１３と接触せず上方へ離してあり、作動時の摩擦抵抗を緩和すると共に、冬期において天板１３との間で雨水や露水が凍結することによりトリガー３が作動しなくなることを防止できるようになっている。また、傾斜部３０１が下方へ傾斜していることで重心が下がり、進退部材３０の軸周方向への転動が大きくならないよう抑制されるが、先端具３０２の左右のバランスをとりながら直棒部３００を中心として軸周方向へ容易に振動又は揺動し、この振動又は揺動により係合挿入部３０２ａ、３０２ｂの高さは変動し、同じ高さで長く維持されることが防止できる。また、傾斜部３０１の一部は、作動時、進退部材３０が後退したときに滑車３６０に乗り上げるので、それにより進退部材３０に生じる元に戻ろうとする力が進退部材３０が戻しバネ３４の付勢力で前方へ戻るときの加勢になる。
【００３６】
直棒部３００の前端寄りには、係合深さ調節手段である感度調節具３１が直棒部３００に沿って移動調節ができるようにしてネジ止めされている。直棒部３００の後端寄りには、掛け具３３が直棒部３００に沿って移動調節ができるようにしてネジ止めされている。また、直棒部３００の中間部より後方には、バネ止め具３２が直棒部３００に沿って移動調節ができるようにしてネジ止めされている。バネ止め具３２とガイド具３７の間には、圧縮コイルバネである戻しバネ３４が嵌装されている。掛け具３３は、直棒部３００に沿って移動調節することで後述するワイヤ３３０の張りを調節することができる。
【００３７】
なお、前記感度調節具３１は、直棒部３００に沿って移動調節することにより、前記係合挿入部３０２ａ、３０２ｂの戻しバネ３４で押されることで前方向に進出する限界位置を調節することができる。これにより、係合挿入部３０２ａ、３０２ｂと係合孔２００との掛かりの深さ、すなわち作動感度を調節することができる。また、バネ止め具３２は、直棒部３００に沿って移動調節することにより、戻りバネ３４の反発力を調節して、作動後の進退部材３０の戻り方向の付勢力を調節することができる。
【００３８】
天板１３の後端寄りには、通し孔１３０が貫通して設けられている。通し孔１３０は、後述する感知ロッド３５の上部が貫通した状態で前後方向へ進退動ができるように前後方向に長い長孔である。また、天板１３の後端寄りの下面側（内面側）には、軸支具３８が固定されている。軸支具３８には、感知ロッド３５が軸３８０により上部寄りを軸支して前後方向に回動自在に取り付けられている。
【００３９】
感知ロッド３５の上部側は、前記通し孔１３０を貫通し、天板１３の上面側へ突出している。感知ロッド３５の上端部と前記掛け具３３は、ワイヤ３３０によってつながれている。なお、ワイヤ３３０の長さは、前記進退部材３０がセット位置にあり、感知ロッド３５が鉛直方向となっているときに、ワイヤ３３０がほぼ緩みなく緊張する長さに設定されている（図４参照）。
【００４０】
捕獲室１６の後端側（後蓋板１４の近傍）の下部側中央には、上部が開放され開放部に餌を入れる餌容器４が配されている。餌容器４の後端部には、係合部４０が上方へ延長して設けられている。また、餌容器４の底部下面側の後端部寄りには、下方へ突出した部分に係合凹部４１が形成されている。係合部４０は、後方から前方へ動くことで前記感知ロッド３５の下部側に係合し前方へ回動させる構造である。
【００４１】
餌容器４は、側板１１、１２間に水平に架設されている受けロッド１０１に載置されている。餌容器４は、底部の係合凹部４１を受けロッド１０１に回動自在に嵌め入れ、係合部４０を感知ロッド３５の後方に位置させて係合させてあり、この状態がセット位置となる（図４参照）。また、この状態では、餌容器４の底部の下面がほぼ水平になり、バランスがとれている。なお、餌容器４に餌を入れるときには、このバランスが崩れないようにする。
【００４２】
また、受けロッド１０１の更に後方のやや高い位置には、側板１１、１２の内面側に突出して係止ピン１０２が設けられている。各係止ピン１０２は、後述するように後蓋板１４の上部側を開くときに後蓋板１４の下端部両側を止めて、後蓋板１４が必要以上に開きすぎないようにするものである（図４参照）。
【００４３】
（作用）
主に図４及び図５を参照して箱形罠装置Ａ１の作用を説明する。
箱形罠装置Ａ１を獣道等に仕掛ける。仕掛ける際には、図４に示すように落とし扉２を上昇させ、トリガー３の進退部材３０を構成している係合挿入部３０２ａ、３０２ｂを所要の組の係合受部（本実施の形態では最も下の段の係合受部２４）の各係合孔２００に係合させてセットする。
【００４４】
また、より小さい小動物を捕獲使用とする場合は、更に上の段の係合受部２１、２２、２３の何れかの組の各係合孔２００に係合させ、落とし扉２をより低い高さでセットするようにする。これにより、落とし扉２が落ちるまでの時間が短縮され、より小さく俊敏な小動物の捕獲ができるようになる。このように、捕獲しようとする小動物に最も適した高さに落とし扉２をセットすることができる。
【００４５】
落とし扉２のセット状態では、前記のように感知ロッド３５は、鉛直方向又はほぼ鉛直方向となっており、感知ロッド３５の下部側の後部には、餌容器４の係合部４０が接している。なお、餌容器４には餌（図示省略）が適量入れられ、前記水平状態を保つようにバランスがとられている。餌は後蓋板１４を開いて、後部側から入れることができる。
【００４６】
そして、罠本体１の入り口１５から小動物５が侵入し、餌を食べようとして餌容器４の前部に足を掛ける等して下に落とすと、係合部４０が感知ロッド３５の下部側を前に押し回し、感知ロッド３５の上部側は反対に後退して、ワイヤ３３０でつながっている進退部材３０を後方へ引く。進退部材３０が後退すると、戻しバネ３４が圧縮されるので、進退部材３０は戻しバネ３４の付勢力で直ちに前方向へ戻ろうとする。
【００４７】
このように、進退部材３０に前方向へ戻る動きをさせるには、連動する餌容器４も水平に戻る必要があるが、例えば作動時においてワイヤ３３０が緩んだり切れるように太さを調節し、或いは結び方に工夫をしておけば、作動後に餌容器４を水平に戻さなくても進退部材３０だけを前方向へ戻すことができる。
【００４８】
前記のように進退部材３０が後方へ引かれることにより、進退部材３０の先端の係合挿入部３０２ａ、３０２ｂが係合受部２４の各係合孔２００から抜け外れ、落とし扉２は自重で落下する。このとき、落とし扉２は係合孔２００の方向へ付勢されている各係合挿入部３０２ａ、３０２ｂと接触しないで落下することもあるが、場合によっては戻しバネ３４の付勢力で戻った各係合挿入部３０２ａ、３０２ｂと接触しながら落下することもある。
【００４９】
その場合において、進退部材３０が軸周方向に振動又は揺動することにより各係合挿入部３０２ａ、３０２ｂの高さが変動し、同じ高さで長く維持されることが防止できるので、一方側の係合挿入部３０２ａと他方側の係合受部３０２ｂとが同時に同じ高さの係合孔２００と合致する可能性は極めて小さい。これにより、落とし扉２を途中で停止させることなく円滑に落下させることができる。
【００５０】
また、前記作用は、落とし扉２をガイド部材２０、２０ａの嵌装部２９に動きに多少遊びをもって嵌装して、いわゆるガタが生じるように構成してあると、前記係合挿入部３０２ａと係合受部３０２ｂが同時に同じ高さの係合孔２００と合致する可能性をより小さくすることができる。
なお、落とし扉２が落ちる際、例えばその上端部が図３に示すように、中段の上昇止め具２５ａを超えると、その瞬間、上昇止め具２５ａが前方側へ回動し、上部側の上昇止め具２５と同じように止め部２５２の先端部が落とし扉２の後面位置より前に出た状態になる。
【００５１】
これにより、仮に落とし扉２が小動物５の尻尾等に触れて止まったり跳ね返ったとしても、落とし扉２は上昇止め具２５ａの止め部２５２で止められ、それ以上の高さに上昇することはない。そして、後は閉じる方向に落ちるしかないので、小動物５の逃げ出しを最小限に抑えて、より確実に捕獲することができる。しかも、本実施の形態では上昇止め具２５、２５ａ、２５ｂが三段階（複数段階）であるので、前記のような落とし扉２の落下途中の上昇を止める作用が段階的又は小刻みに発揮され、小動物５の逃げ出しの防止効果はより高い。
【００５２】
落とし扉２が最下部まで落ちると、トリガー３の進退部材３０の係合挿入部３０２ａ、３０２ｂが落とし扉２の上側で落とし扉２を超えて前方へ突出し、落とし扉２が上昇しないように止めることができる。また、落とし扉２の内面側には凹凸がほとんどなく、捕獲した小動物５の爪等が掛かる部分もないので、小動物５が捕獲室１６内で暴れても、閉じた落とし扉２を開けることは難しい。このように、入り口１５を封鎖した落とし扉２を捕獲室１６内に入った小動物５が開けることは困難であるので、小動物５はより確実に捕獲される。
【００５３】
なお、箱形罠装置Ａ１が作動し落とし扉２が入り口１５を閉塞した後も、通気口１１０、１２０により、捕獲室１６内の通気が確保されている。
また、捕獲された小動物５の種類や数及び状態等を確認したい場合は、後蓋板１４の上部側を少し開き、内部を覗いて確認することができる。
【００５４】
図６を参照し、本発明の第２の実施の形態である箱形罠装置Ａ２について説明する。なお、図６において、前記箱形罠装置Ａ１と同一又は同等箇所には同一の符号を付して示し、構造や作用について重複する説明は省略する。
【００５５】
箱形罠装置Ａ２は、前記箱形罠装置Ａ１における餌容器４の代替として内部に餌を入れた餌袋４ａを使用している。
感知ロッド３５の下端部と餌袋４ａは紐４２でつながれている。紐４２の長さは、進退部材３０がセット位置にあり、感知ロッド３５が鉛直方向となっているときに、紐４２がほぼ緩みなく緊張する長さに設定されている。
【００５６】
そして、箱形罠装置Ａ２をセットした後、捕獲室１６内に侵入した小動物５が餌袋４ａを引っ張り、感知ロッド３５の下側が前方へ回動することにより進退部材３０が後方へ引かれて落とし扉２が落ちるようになっている。
【００５７】
図７を参照し、本発明の第３の実施の形態である箱形罠装置Ａ３について説明する。なお、図７において、前記箱形罠装置Ａ１と同一又は同等箇所には同一の符号を付して示し、構造や作用について重複する説明は省略する。
【００５８】
箱形罠装置Ａ３は、前記箱形罠装置Ａ１における軸支具３８の代替として天板１３の後端寄りの下面側にガイド具３８ｂが固定されている。ガイド具３８ｂには滑車３８１が設けられている。そして、箱形罠装置Ａ３は、箱形罠装置Ａ２と同様に内部に餌を入れた餌袋４ａを使用している。
【００５９】
進退部材３０の後端部の掛け具３３と餌袋４ａはワイヤ３３０ａでつながれている。ワイヤ３３０ａは、通し孔１３０を貫通し、滑車３８１に掛けられている。ワイヤ３３０ａの長さは、進退部材３０と餌袋４ａがセット位置にあるときに、ワイヤ３３０ａがほぼ緩みなく緊張する長さに設定されている。
そして、箱形罠装置Ａ３をセットした後、捕獲室１６内に侵入した小動物５が餌袋４ａを引っ張り、ワイヤ３３０ａによって進退部材３０が後方へ引かれて落とし扉２が落ちるようになっている。
【００６０】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００６１】
Ａ１  箱形罠装置
１  罠本体
１０  底板
１１、１２  側板
１１０、１２０  通気口
１３  天板
１３０  通し孔
１４  後蓋板
１４０  ツマミ
１４１  取付軸
１４２  蝶ネジ
１５  入り口
１６  捕獲室
１０１  受けロッド
１０２  受けロッド
２  落とし扉
２０  ガイド部材
２１、２２、２３、２４  係合受部
２００  係合孔
２０１  係合凹部
２５、２５ａ、２５ｂ  上昇止め具
２５０  回動金具
２５１  ネジ
２５２  止め部
２５３  錘ネジ
２０２  取付台具
２８  連結部材
２９  嵌装部
３  トリガー
３０  進退部材
３００  直棒部
３０１  傾斜部
３０２  先端具
３０２ａ、３０２ｂ  係合挿入部
３１  感度調節具
３２  バネ止め具
３３  掛け具
３３０  ワイヤ
３４  戻しバネ
３５  感知ロッド
３６  ガイド具
３６０  滑車
３７  ガイド具
３７０  滑車
３８  軸支具
３８０  軸
４  餌容器
４０  係合部
４１  係合凹部
Ａ２  箱形罠装置
４ａ  餌袋
４２  紐
Ａ３  箱形罠装置
３８ｂ  ガイド具
３８１  滑車
３３０ａ  ワイヤ
５  小動物
【図１】
2012039928.tif 000003
【図２】
2012039928.tif 000004
【図３】
2012039928.tif 000005
【図４】
2012039928.tif 000006
【図５】
2012039928.tif 000007
【図６】
2012039928.tif 000008
【図７】
2012039928.tif 000009